(57)【要約】【課題】  排水ポンプのエア噛み音を抑制でき、かつ排水時間を短く、確実に残水を無くすことができる食器洗い機を提供する。【解決手段】  洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になる時間に応じてその後の回転時間を設定するようにした。【選択図】      図６
2005342318.tif 000002
【特許請求の範囲】
【請求項１】
洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になる時間に応じてその後の回転時間を設定するようにしたことを特徴とする食器洗い機。
【請求項２】
洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になった時点で第２の回転数より高い第３の回転数で回転するようにしたことを特徴とする食器洗い機。
【請求項３】
排水ポンプを第３の回転数で回転する時間を、第２の回転数で回転した時間に応じて設定するようにしたことを特徴とする請求項２記載の食器洗い機。
【請求項４】
洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数での回転が所定時間経過しても負荷量検知手段が検知した負荷量が所定値以下にならなかった場合、その時点から第２の回転数より高い第３の回転数で所定時間回転するようにしたことを特徴とする食器洗い機。
【請求項５】
洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になった時点で、排水ポンプを第２の回転数で回転しながら給水手段による給水を行うようにしたことを特徴とする食器洗い機。
【請求項６】
負荷量検知手段は、排水ポンプの駆動電流値により負荷量を検知することを特徴とする請求項１〜５の何れかに記載の食器洗い機。
【請求項７】
負荷量検知手段は、排水ポンプの駆動電力量により負荷量を検知することを特徴とする請求項１〜５の何れかに記載の食器洗い機。
【発明の詳細な説明】
【技術分野】
【０００１】
本発明は、洗浄槽内に配置した洗浄ノズルから水を噴射させて食器類を洗浄する食器洗い機に関するものである。
【背景技術】
【０００２】
従来の食器洗い機の構造例を図１１に示す。図１１において、洗浄槽３１の側面に水を供給する給水手段３２と、洗浄槽３１内の水位を検知する水位検知手段３３が設けられ、洗浄槽３１の下部に、食器類に向けて水を噴射する洗浄ノズル３４と、洗浄ノズル３４に向けて水を加圧して供給する洗浄ポンプ３５と、水を洗浄槽３１外に排水する排水ポンプ３６が配置され、これらを制御する制御手段３７が設けられている。
【０００３】
この種の食器洗い機において、近年、洗浄時の騒音が問題となってきており、特に排水工程時に排水ポンプ３６に空気が混ざる状態（以下、エア噛みと称する。）になると、人が不快を感じるエア噛み音が発生するため、このエア噛み音の低減が重要な課題となっている。
【０００４】
そこで、水位検知手段３３として複数の水位を検知できるものを設け、制御手段３７は、排水工程で、複数の水位を検知する水位検知手段３３により２つの水位間での水位減少時間を測定し、これにより排水ポンプ３６の能力を推定し、洗浄水が無くなって排水ポンプ３６にエア噛みが生じる時間を予測し、そうなる前に排水ポンプ３６の回転数を落とすようにし、これにより排水時のエア噛みによる騒音が大きくなるのを防止するようにしたものが知られている（例えば、特許文献１参照。）。
【０００５】
また、直流ブラシレス電動機により駆動するポンプにて洗浄槽内の水を切り換え弁を介してノズルと排水ホースに送給するように構成した食器洗い機において、空気が混入する排水の末期において回転数を低下させるようにしたものも知られている（例えば、特許文献２参照。）。
【特許文献１】特開平３−２１５２３０号公報
【特許文献２】特開２００１−３７７００号公報
【発明の開示】
【発明が解決しようとする課題】
【０００６】
ところが、上記各特許文献に開示された構成では、排水ポンプの回転数を高い回転数から低い回転数に下げた場合、ポンプの排水能力がかなり低下し、さらに排水ホースの設置状況によって排水能力に大きなばらつきが生じるため、常に確実に残水のない状態にするためには排水時間を長く設定しなければならず、排水に要する時間が長くなるという問題があった。
【０００７】
本発明は、上記従来の問題点に鑑み、排水ポンプのエア噛み音を抑制でき、かつ排水時間を短く、確実に残水を無くすことができる食器洗い機を提供することを目的とする。
【課題を解決するための手段】
【０００８】
本発明の食器洗い機は、洗浄槽と、洗浄槽に水を供給する給水手段と、洗浄槽内の水位を検知する水位検知手段と、洗浄槽内に供給された水を加圧して洗浄槽内のノズルを介して循環させる洗浄ポンプと、水を洗浄槽外に排水する排水ポンプと、この排水ポンプの負荷量を検知する負荷量検知手段と、水位検知手段及び負荷量検知手段を入力とし、給水・洗浄・排水工程を制御する制御手段とを備え、制御手段は、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になる時間に応じてその後の回転時間を設定するようにしたものである。
【０００９】
この構成によると、排水工程においてエア噛みを生じる可能性のない所定時間は第１の高い回転数で排水ポンプを回転することで高速にて排水し、次いで排水ポンプをエア噛みが発生しても大きなエア噛み音を発生しない第２の低い回転数で回転するとともに、排水ポンプの負荷量が所定値（例えば、上記高速排水直後の負荷の数１０％程度）以下になるまでの時間に応じてその後の排水ポンプの回転時間を設定することで、ほぼ正確に残水が無くなると推定される時点まで排水ポンプを回転させて排水時間を必要最小限に設定することができ、従って排水ポンプのエア噛み音を抑制でき、かつ排水時間を短く、確実に残水を無くすことができる。
【００１０】
また、制御手段を、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になった時点で第２の回転数より高い第３の回転数で回転するようにしても良い。すなわち、排水ポンプの負荷量が所定値以下になった時点では残水が少なくなっているため、排水ポンプを高い回転数で回転しても特別大きなエア噛み音が発生したり、エア噛み音が長い時間継続することはないので、このように負荷量が所定値以下になった時点で排水ポンプを第３の高い回転数で回転することによって短時間で残水のない状態まで排水することができ、一層排水時間を短くすることができる。なお、第３の回転数は、第１の回転数と同一若しくはそれより高い回転数に設定するのが好適である。
【００１１】
また、その際に排水ポンプを第３の回転数で回転する時間を、第２の回転数で回転した時間に応じて設定すると、排水時間を必要最小限に設定でき、排水時間を短くかつ確実に残水を無くすことができる。
【００１２】
また、制御手段を、排水工程において第１の回転数で排水ポンプを所定時間回転し、その後第１の回転数より低い第２の回転数で排水ポンプを回転し、第２の回転数での回転が所定時間経過しても負荷量検知手段が検知した負荷量が所定値以下にならなかった場合に、その時点から第２の回転数より高い第３の回転数で所定時間回転するようにしてもよい。すなわち、排水ポンプを第２の低い回転数で回転した場合、排水能力が低くなり過ぎ、所定時間経過しても排水ポンプの負荷量、すなわち残水量が低下しない場合には、多少のエア噛み音が発生する恐れはあっても排水能力を高めて強制排水することにより、排水時間が過剰に長くなるのを防止することができる。なお、第３の回転数は、第１の回転数と同一若しくはそれより高い回転数に設定するのが好適である。
【００１３】
また、制御手段を、排水工程において第１の回転数で排水ポンプを所定時間回転し、その後第１の回転数より低い第２の回転数で排水ポンプを回転し、第２の回転数で回転中に負荷量検知手段が検知した負荷量が所定値以下になった時点で、排水ポンプを第２の回転数で回転しながら給水手段による給水を行うようにしても良い。すなわち、排水ポンプの回転数が低い状態で残水が少ないと、排水ポンプの排水能力が低下して効果的に排水できない状態になる場合があるが、その際に水を追加することで排水ポンプの排水作用が高まって一気に残水のない状態まで排水することができ、結果的に短時間で残水のない状態にでき、排水時間の短縮を図ることができる。
【００１４】
また、負荷量検知手段は、排水ポンプの駆動電流値により負荷量を検知すると、簡単な構成にて適正に負荷量を検知することができる。
【００１５】
また、負荷量検知手段は、排水ポンプの駆動電力量により負荷量を検知すると、上記駆動電流値と電圧の積を演算することで、より精度良く負荷量、すなわち残水量を検知することができ、一層適切な制御を行うことができる。
【発明の効果】
【００１６】
本発明の食器洗い機によれば、排水工程においてエア噛みを生じる可能性のない所定時間は第１の高い回転数で排水ポンプを回転することで高速にて排水し、次いで排水ポンプをエア噛みが発生しても大きなエア噛み音を発生しない第２の低い回転数で回転するとともに、排水ポンプの負荷量が所定値以下になるまでの時間に応じてその後の排水ポンプの回転時間を設定することにより、排水時間を残水が無くなるまでの必要最小限に設定することができ、従って排水ポンプのエア噛み音を抑制でき、かつ排水時間を短く、確実に残水を無くすことができる。
【発明を実施するための最良の形態】
【００１７】
以下、本発明の一実施形態の食器洗い機について、図１〜図６を参照して説明する。
【００１８】
図１において、洗浄槽１の下部に水を供給する給水弁２を有する給水手段３と、洗浄槽１内の水位を検知する水位検知手段４が配設されている。水位検知手段４としてはフロートスイッチなどの周知のものが適用される。洗浄槽１内には、洗浄すべき食器を収納する食器かご５が配置され、食器かご５の下部に洗浄ノズル６が配設されており、洗浄ノズル６が回転しながら食器かご５に収納した食器にむけて洗浄水を噴射することで食器が洗浄される。洗浄ノズル６の下部には洗浄水を加熱するヒータ７が配設されている。このヒータ７による加熱状態を検知するため、洗浄槽１内の温度を検知する温度検知手段８が洗浄槽１の下部外面に貼付けた状態で取付けられている。
【００１９】
洗浄ノズル６には洗浄ポンプ９が接続され、洗浄ポンプ９にて洗浄槽１内の洗浄水を吸い込み、加圧して洗浄ノズル６に供給することで、洗浄ノズル６を介して洗浄槽１内で洗浄水を循環させるように構成されている。本実施形態の洗浄ポンプ９は排水ポンプとしても機能するもので、ポンプモータ１０にて正転方向に回転駆動されることで洗浄ノズル５に洗浄水を供給し、回転方向を逆にすると排水ポンプとして機能し、洗浄水を排水ホース１１を介して機外に排出するように構成されている。また、前面の下部には、給水弁３、ヒータ７、ポンプモータ１０を制御する制御手段１２が配設されている。
【００２０】
洗浄ポンプ９は、図２、図３に示すように、渦巻き室１５の中心部上面に吸い込み口１４が開口され、この吸い込み口１４が吸水口１３に連通されている。渦巻き室１５の中心部にポンプモータ１０にて正逆方向に回転駆動されるインペラ１６が配設されている。インペラ１６を矢印１７方向に正回転すると、洗浄ノズル６に接続されている吐出口１８から洗浄水が吐出され、洗浄ポンプ９として機能する。また、インペラ１６を矢印１９方向に逆回転させると、洗浄水の流れで弁体２０が開かれ、排水ホース１１に接続されている排出口２１から洗浄水が排出され、排水ポンプとして機能する。
【００２１】
次に、制御電気回路について、図４を参照して説明する。制御手段１２は、通常ワンチップマイクロコンピュータ（以下、マイコンと称する）で構成され、内部にプログラムを格納している読みだし専用の記憶手段（ＲＯＭ）（図示せず）と、読み書き自由な記憶手段（ＲＡＭ）（図示せず）を有し、プログラムの一部として時間を計測するタイマーを備えている。
【００２２】
給水弁２及びヒータ７などの負荷は、双方向サイリスタ及びリレーから構成されるパワースイッチング手段２３を介して商用交流電源２２が供給されて駆動される。また、ポンプモータ１０は、回転数を容易に制御できかつ起動時と低速領域で大きなトルクが得られる直流ブラシレスモータが適用されている。このポンプモータ１０を駆動するため、商用交流電源２２を整流用ダイオードブリッジ２４ａとノイズ防止用チョークコイル２４ｂと平滑用コンデンサ２４ｃからなる直流電源変換回路２４にて直流に変換して、インバータ回路２５に供給している。
【００２３】
インバータ回路２５は、パワートランジスタと逆導通ダイオードの並列回路からなる直流電源のスイッチング素子で構成され、ポンプモータ１０に接続されている。ポンプモータ１０は、３相巻線１０ａ（Ｕ相）、１０ｂ（Ｖ相）、１０ｃ（Ｗ相）を有するステータと、２ｎ極（ｎは自然数）の永久磁石を配設しているロータ（図示せず）にて構成されている。また、インバータ回路２５の負電圧側に電流検出手段２６を接続し、インバータ回路２５のＵ、Ｖ、Ｗ相に流れる電流を検出することにより、インバータ回路２５の出力電流、すなわちポンプモータ１０の各相の電流を検出する。
【００２４】
ここで、制御手段１２によるポンプモータ１０の駆動制御は、電流検出手段２６の出力信号よりインバータ回路２５の出力電流を演算し、設定回転数に応じた所定周波数、所定電圧をパルス幅変調（以下、ＰＷＭと称する）して印加することにより行い、ポンプモータ１０の負荷に応じて出力電圧に対する出力電流位相を無効電流となるように制御することにより、設定同期周波数でポンプモータ１０を駆動できる。
【００２５】
次に、以上の構成の食器洗い機において、洗い工程、水濯ぎ工程、温水濯ぎ工程などを行った後の排水工程の動作と制御について、図５、図６を参照して説明する。
【００２６】
排水工程において、まず、逆回転モードの洗浄ポンプ８、すなわち排水ポンプを、第１の回転数（具体例としては３０００ｒｐｍ）で、エア噛みが生じる恐れのない所定時間であるｔ1 時間（具体例としては７ｓｅｃ間）回転駆動する（ステップＳ１、Ｓ２）。次に、排水ポンプの回転数を、エア噛みが生じても大きなエア噛み音を発生する恐れのない第２の回転数（具体例としては１５００ｒｐｍ）に低下させて回転駆動する（ステップＳ３）。また、それと同時にエア噛みが生じ易い期間の時間計測をスタートする（ステップＳ４）。
【００２７】
そして、所定時間（具体例としては２ｓｅｃ）の経過を待って（ステップＳ５）、その後１ｓｅｃ毎に排水ポンプの負荷量に対応する電流値をサンプリングし、その電流値ＩN を入力し（ステップＳ６、Ｓ７）、初回サンプリングの電流値ＩN は初期電流値Ｉ0 として記憶する（ステップＳ８、Ｓ９）。
【００２８】
次に、ステップＳ６に戻って１ｓｅｃ毎に２回目以降の電流値のサンプリングと各サンプリング時の電流値ＩN の入力を行い（ステップＳ７）、その電流値ＩN と初期電流値Ｉ0 の比が所定値（具体例としては１／４＝０．２５）以下になったか否かの判定を行い（ステップＳ１０）、所定値以下になっていない場合はステップＳ６にリターンして以上の工程を繰り返し、以下になるとエア噛みが生じ易い期間のエア噛み時間ｔ2 の計測を終了する（ステップＳ１１）。
【００２９】
次に、計測したエア噛み時間ｔ2 が所定時間（具体例としては３０ｓｅｃ）以下であるか否かの判定を行い（ステップＳ１２）、所定時間以下の場合は排水延長時間ｔ3 を相対的に短い時間（具体例としては２０ｓｅｃ）に設定し（ステップＳ１３）、所定時間を越えた場合は排水延長時間ｔ3 を相対的に長い時間（具体例としては６０ｓｅｃ）に設定し（ステップＳ１３）し、こうして設定時間の間だけ排水ポンプの駆動を継続し（ステップＳ１５）、その後排水を終了する。
【００３０】
このように排水ポンプを駆動制御することにより、排水ポンプでエア噛み音を発生する恐れのある期間は、大きなエア噛み音を発生する恐れのない回転数で排水ポンプを駆動することでエア噛み音の発生を抑制でき、かつ確実に残水を無くすのに必要な最小限の時間だけ排水ポンプを駆動することで、排水時間を短くすることができる。
【００３１】
以上の実施形態では、エア噛み時間ｔ2 が所定時間より長いか短いかに応じて排水延長時間ｔ3 をそれぞれ所定値に設定する例を示したが、エア噛み時間ｔ2 に応じて比例的に、あるいは所定の関数で設定してもよく、またエア噛み時間ｔ2 と残水を無くすのに必要な排水延長時間ｔ3 の関係を実験的に求めてテーブル化しておき、エア噛み時間ｔ2 に基づいてテーブルを参照して排水延長時間ｔ3 を設定するようにしても良い。
【００３２】
また、上記実施形態では、排水ポンプの負荷量の変化を電流値のサンプリングによって求める例を示したが、単純に電流値を用いる代わりに、計測した電流値と電圧値を積算して電力値を計測データとして用いることもでき、そうすると排水ポンプの負荷量、すなわち残水量の変化をより適切に把握することができ、精度良く制御することができる。
【００３３】
さらに、上記実施形態では、排水延長時間ｔ3 に移行後も単純に排水ポンプを第２の回転数で継続して回転駆動する例を示したが、排水延長時間ｔ3 に移行する際に、給水手段３の給水弁２を適当時間だけ開いて適当量の給水を行うようにしても良い。そうすると、排水ポンプの排水作用を高める水量が再確保されることで、排水ポンプを第２の回転数で回転駆動しながら高い排水作用が発揮され、残水を効果的に低減できるという効果が得られることが判明した。
【００３４】
次に、本発明の他の実施形態における排水工程の制御動作ついて、図７、図８を参照して説明する。なお、以下の実施形態の説明においては、上記実施形態と共通する構成要素及び制御フロー図のステップについては同一の参照符号を付し、主として相違点についてのみ説明する。
【００３５】
図７、図８において、まず、上記実施形態と同様に、第１の回転数（具体例としては３０００ｒｐｍ）で排水ポンプを所定時間（ｔ1 時間、例えば７ｓｅｃ）回転し（ステップＳ１、Ｓ２）、その後第１の回転数より低い第２の回転数（具体例としては１５００ｒｐｍ）で排水ポンプを回転し（ステップＳ３）、第２の回転数で回転中に負荷量検知手段で検知した負荷量、すなわち排水ポンプを駆動するポンプモータ１０の駆動電流値が所定値以下になった時点、具体例としては第２の回転数で回転を開始した時の電流値Ｉ0 の４分の１になった時点で（ステップＳ４〜Ｓ１１）、第２の回転数より高い第３の回転数（具体例としては、第１の回転数と同じ３０００ｒｐｍ）で所定時間（ｔ4 時間）回転するようにするようにしている（ステップＳ１６、Ｓ１７）。なお、第３の回転数は、第１の回転数と同一若しくはそれより高い回転数に設定するのが好適である。また、ｔ4 時間は、適当な一定時間に設定しても良いが、上記実施形態における排水延長時間ｔ3 と同様に、第２の回転数で回転したｔ2 時間に応じて設定するのが好適である。
【００３６】
本実施形態によれば、排水ポンプの負荷量が所定値以下になったｔ2 時間の終了時点では、残水が所定量以下になっているため、排水ポンプを高い回転数で回転しても特別大きなエア噛み音が発生したり、エア噛み音が長い時間継続することはないと想定できることに鑑みて、このように負荷量、すなわち残水量が所定値以下になった時点で排水ポンプを第３の高い回転数で回転させて高い排水能力で排水することにより、この第３の回転数で回転するｔ4 時間を短く設定することができ、残水のない状態まで短時間で排水することができて排水時間を一層短くすることができる。さらに、第３の回転数で回転するｔ4 時間を、第２の回転数で回転したｔ2 時間に応じて設定すると、排水時間を必要最小限に設定でき、排水時間を短くかつ確実に残水を無くすことができる。
【００３７】
次に、本発明のさらに別の実施形態における排水工程の制御動作ついて、図９、図１０を参照して説明する。
【００３８】
図９、図１０において、まず、上記実施形態と同様に、第１の回転数（具体例としては３０００ｒｐｍ）で排水ポンプを所定時間（ｔ1 時間、例えば７ｓｅｃ）回転し（ステップＳ１、Ｓ２）、その後第１の回転数より低い第２の回転数（具体例としては１５００ｒｐｍ）で排水ポンプを回転する（ステップＳ３）。その後、第２の回転数で回転中に負荷量検知手段で検知した負荷量、すなわち排水ポンプを駆動するポンプモータ１０の駆動電流値が所定値以下になった時点、具体例としては第２の回転数で回転を開始した時の電流値Ｉ0 の４分の１になった時点で（ステップＳ４〜Ｓ１１）、エア噛み時間ｔ2 に応じて排水延長時間ｔ3 だけ排水ポンプを回転するが（ステップＳ１２〜Ｓ１５）、上記ステップＳ８とＳ１０の間で、この第２の回転数での回転が所定時間（ｔ5 時間、例えば１ｍｉｎ）経過したか否かの判定を行い（ステップＳ１８）、所定時間ｔ5 が経過しても負荷量検知手段で検知した負荷量が所定値以下にならないとき、具体例としては排水ポンプを駆動するポンプモータ１０の駆動電流値が第２の回転数での回転を開始した時の電流値Ｉ0 の４分の１以下にならないときには、その時点からステップＳ１９に移行し、第２の回転数より高い第３の回転数（具体例としては、第１の回転数と同じ３０００ｒｐｍ）で適当に設定された所定時間（ｔ6 時間）回転するようにするようにしている（ステップＳ１９、Ｓ２０）。なお、第３の回転数は、第１の回転数と同一若しくはそれより高い回転数に設定するのが好適である。
【００３９】
本実施形態によれば、排水ポンプを第２の低い回転数で回転したときに、排水能力が低くなり過ぎ、所定時間（ｔ5 時間）経過しても排水ポンプの負荷量、すなわち残水量が低下しない場合には、そのままの状態を継続すると排水時間が過剰に長くなる恐れがあるため、多少のエア噛み音が発生する恐れはあっても第２の回転数より高い第３の回転数で所定時間（ｔ6 時間）排水ポンプ回転駆動し、排水能力を高めて強制排水することにより、排水時間が過剰に長くなるのを防止することができる。
【産業上の利用可能性】
【００４０】
本発明の食器洗い機は、排水工程においてエア噛みを生じる可能性のない所定時間は第１の高い回転数で排水ポンプを回転することで高速にて排水し、次いで排水ポンプをエア噛みが発生しても大きなエア噛み音を発生しない第２の低い回転数で回転するとともに、排水ポンプの負荷量が所定値以下になるまでの時間に応じてその後の排水ポンプの回転時間を設定するようにしたので、排水ポンプのエア噛み音を抑制できかつ排水時間を短く、確実に残水を無くすことができるため、騒音の発生を嫌う場所に設置される各種食器洗い機に有用である。
【図面の簡単な説明】
【００４１】
【図１】本発明の食器洗い機の一実施形態の概略構成を示す縦断面側面図である。
【図２】同実施形態の洗浄ポンプとポンプモータの縦断面図である。
【図３】同実施形態の洗浄ポンプの平面図である。
【図４】同実施形態の電気回路のブロック図である。
【図５】同実施形態における排水工程の制御フロー図である。
【図６】同実施形態における排水工程の制御動作の説明図である。
【図７】本発明の食器洗い機の他の実施形態における排水工程の制御フロー図である。
【図８】同実施形態における排水工程の制御動作の説明図である。
【図９】本発明の食器洗い機のさらに別の実施形態における排水工程の制御フロー図である。
【図１０】同実施形態における排水工程の制御動作の説明図である。
【図１１】従来例の食器洗い機の概略構成を示す縦断面側面図である。
【符号の説明】
【００４２】
１  洗浄槽
３  給水手段
４  水位検知手段
６  洗浄ノズル
９  洗浄ポンプ（排水ポンプ）
１０  ポンプモータ
１２  制御手段
２６  電流検知手段（負荷量検知手段）
【図１】
2005342318.tif 000003
【図２】
2005342318.tif 000004
【図３】
2005342318.tif 000005
【図４】
2005342318.tif 000006
【図５】
2005342318.tif 000007
【図６】
2005342318.tif 000008
【図７】
2005342318.tif 000009
【図８】
2005342318.tif 000010
【図９】
2005342318.tif 000011
【図１０】
2005342318.tif 000012
【図１１】
2005342318.tif 000013